【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
（ａ）光学バルブ（optical-valve）若しくは液晶系タイプの電気制御された可変の光散乱を有する系、懸濁粒子系、又はホログラフィック若しくはサーモトロピック系（ａ’）を含んで成り、該系が、
（ｂ）少なくとも可視領域において吸収性の少なくとも１つの吸収性部材
と関連しており、
該吸収性部材（ｂ）が以下の部材、即ち、本体が着色されたガラス又はプラスチックの硬質基材（２）、本体が着色された熱可塑性タイプの軟質ポリマーシート、硬質基材に圧延されることのできるプラスチックフィルム、ガラス若しくはプラスチックの硬質基材又は軟質ポリマーシートの一方の面上に配置された吸収性薄層のうちの少なくとも１つから選択されたことを特徴とする、可変の光学的性質を有する部材。
【請求項２】
前記系（ａ）が、液晶の液滴を媒体中に分散させたフィルムを含んで成り、それぞれ電極を備えた２枚の保護シートによって収容された液晶系（１）であることを特徴とする、請求項１に記載の可変の光学的性質を有する部材。
【請求項３】
前記保護シートが本質的に透明であり、ポリエチレンテレフタレートタイプの軟質ポリマーに基づいていることを特徴とする、請求項２に記載の可変の光学的性質を有する部材。
【請求項４】
前記系（ａ）が、液晶の液滴を媒体中に分散させたフィルムを含んで成り、それぞれ電極を備えた２枚の保護シートによって収容された液晶系（１）であって、かつ前記（複数の）吸収性部材（ｂ）が以下の部材、即ち、該フィルム内部の染料、該電極の１つの一部を形成する電気伝導性吸収層のうちの少なくとも１つから選択されたことを特徴とする、請求項１〜３の何れか１項に記載の可変の光学的性質を有する部材。
【請求項５】
前記吸収性部材（ｂ）の組み合せが、光学的性質を有する部材の光吸収率ＡLを全体として少なくとも５％増加させ、及び／又は光学的性質を有する部材の光反射率ＲLを全体として少なくとも５％低下させることを特徴とする、請求項１〜４の何れか１項に記載の可変の光学的性質を有する部材。
【請求項６】
前記吸収性部材が１〜８ｍｍの厚さを有する本体が着色されたガラス（２）であることを特徴とする、請求項１〜５の何れか１項に記載の可変の光学的性質を有する部材。
【請求項７】
前記吸収性部材がＰＶＢ、ＰＵ又はＥＶＡタイプの本体が着色された熱可塑性シートであることを特徴とする、請求項１〜６の何れか１項に記載の可変の光学的性質を有する部材。
【請求項８】
前記吸収性部材がグレーの透過色を有することを特徴とする、請求項６又は請求項７の何れか１項に記載の可変の光学的性質を有する部材。
【請求項９】
前記吸収性部材が鉄、クロム及び／若しくはニッケルの酸化物、又はＮｉ、Ｃｒ、Ｎｉ−Ｃｒ、鋼、銀、金、銅、インコネル合金タイプの金属、若しくはエレクトロクロミック材料に基づいた干渉厚さの薄層であることを特徴とする、請求項１又は請求項８の何れか１項に記載の可変の光学的性質を有する部材。
【請求項１０】
前記吸収性部材が液晶フィルム中の二色性染料の形態であり、該二色性染料が前記液晶の液滴中及び／又はその媒体中に溶解していることを特徴とする、請求項４に記載の可変の光学的性質を有する部材。
【請求項１１】
前記二色性染料がジアゾキノン誘導体又はアントラキノン誘導体の系統群から選択され、該二色性染料が前記液晶の液滴中にあるときには、液晶に関する該二色性染料の質量百分率が０．１〜５％であり、該二色性染料が前記媒体中に分散しているときには、該媒体に関する該二色性染料の質量百分率が２０〜３０％であることを特徴とする、請求項１０に記載の可変の光学的性質を有する部材。
【請求項１２】
前記吸収性部材が前記電極の１つの一部を形成する電気伝導性層であり、該電気伝導性層が導電性金属酸化物に基づいており、該酸化物が還元された及び／若しくは酸素の亜化学量論的な状態にあるか、又は還元されない状態において吸収性であることを特徴とする、請求項４に記載の可変の光学的性質を有する部材。
【請求項１３】
前記電気伝導性層がドープされた酸化インジウム、ドープされた酸化スズ、又はドープされた酸化亜鉛に基づいていることを特徴とする、請求項１２に記載の可変の光学的性質を有する部材。
【請求項１４】
前記吸収性部材がドープされた金属酸化物、又はＮｉ、Ｃｒ、ＮｉＣｒ、銀、金若しくは銅タイプの金属、又は金属窒化物に基づいた前記電極の一部を形成する電気伝導性層であることを特徴とする、請求項４、請求項１２又は請求項１３の何れか１項に記載の可変の光学的性質を有する部材。
【請求項１５】
（ｃ）可視領域において反射を防止する少なくとも１つの部材（７、７’）をさらに含むことを特徴とする、請求項１〜１４の何れか１項に記載の可変の光学的性質を有する部材。
【請求項１６】
前記反射防止部材（７、７’）が高及び低屈折率を有する干渉厚さの薄層の交互配列（高屈折率層／低屈折率層）n、式中ｎ≧１であり、高屈折率層／低屈折率層の配列が中間屈折率を有する単一層で置換できることを特徴とする、請求項１５に記載の可変の光学的性質を有する部材。
【請求項１７】
第１の高屈折率層／低屈折率層の配列が前記単一層で置換されたことを特徴とする、請求項１６に記載の可変の光学的性質を有する部材。
【請求項１８】
前記反射防止部材が、吸収層を含む薄層の交互配列であることを特徴とする、請求項１６又は請求項１７の何れか１項に記載の可変の光学的性質を有する部材。
【請求項１９】
前記吸収層が前記金属窒化物に基づいていることを特徴とする、請求項１８に記載の可変の光学的性質を有する部材。
【請求項２０】
前記反射防止部材（７、７’）が以下の多層スタック、即ち、
Ｓｉ3Ｎ4又はＳｎＯ2／ＳｉＯ2／Ｓｉ3Ｎ4又はＮｂ2Ｏ5／ＳｉＯ2
を含んで成ることを特徴とする、請求項１６又は請求項１７の何れか１項に記載の可変の光学的性質を有する部材。
【請求項２１】
前記反射防止部材が、反射防止処理されたポリエチレンテレフタレートフィルムタイプ、若しくはトリアセチルセルロースフィルムタイプのプラスチックフィルムを用いた反射防止フィルムであるか、又は前記光学的性質を有する部材の外部基材の１つを表面模様付け（surface texturing）することから成ることを特徴とする、請求項１５に記載の可変の光学的性質を有する部材。
【請求項２２】
１つ、２つ又は３つのガラス基材（３、２、８）に基づいたグレージングアッセンブリであることを特徴とする、請求項１〜２１の何れか１項に記載の可変の光学的性質を有する部材。
【請求項２３】
以下の構造、即ち、
光学的反射防止コーティング／ガラス１／（複数の）熱可塑性ポリマーシート／可変の光散乱系／（複数の）熱可塑性ポリマーシート／ガラス２／光学的反射防止コーティング、又は以下の構造、即ち、
光学的反射防止コーティング／ガラス１／（複数の）熱可塑性ポリマーシート／可変の光散乱系／（複数の）熱可塑性ポリマーシート／ガラス２／（複数の）熱可塑性ポリマーシート／ガラス３／光学的反射防止コーティング
を有する積層グレージングアッセンブリであることを特徴とする、請求項２２に記載の可変の光学的性質を有する部材。
【請求項２４】
前記ガラス基材又は該ガラス基材のうちの少なくとも１つが、ポリカーボネートタイプのポリマーに基づいた硬質基材で置き換えられたことを特徴とする、請求項２２又は請求項２３の何れか１項に記載の可変の光学的性質を有する部材。
【請求項２５】
以下の構造、即ち、
光学的反射防止コーティング／ガラス／（複数の）熱可塑性ポリマーシート／可変の光散乱系／（複数の）光学的保護ポリマーシート
を有するグレージングアッセンブリであることを特徴とする、請求項２２又は請求項２４の何れか１項に記載の可変の光学的性質を有する部材。
【請求項２６】
ガラス又はポリカーボネートタイプの硬質基材を全く含有しない、軟質ポリマーに基づいたシートのみを含むことを特徴とする、請求項１〜２１の何れか１項に記載の可変の光学的性質を有する部材。
【請求項２７】
前記ガラス１、前記ガラス２及び／若しくは前記ガラス３が本体を着色されるか、又は該ガラス１、該ガラス２及び／若しくは該ガラス３が吸収性の薄層を備えるか、又は熱可塑性ポリマーシートのうちの少なくとも１つが本体を着色されたことを特徴とする、請求項２２に記載の可変の光学的性質を有する部材。
【請求項２８】
本体が着色されたガラスの外面上に堆積された、可視領域において反射を防止する少なくとも１つのコーティングを使用することを特徴とする、請求項１５に記載の可変の光学的性質を有する部材。
【請求項２９】
透過において作用する背面投影スクリーンの一部を形成することを特徴とする、請求項１〜２８の何れか１項に記載の可変の光学的性質を有する部材。
【手続補正２】
【補正対象書類名】明細書
【補正対象項目名】００１３
【補正方法】変更
【補正の内容】
【００１３】
本発明の１つの実施態様によれば、系（ａ）は液晶の液滴を媒体中に分散させたフィルムを含んで成り、それぞれ電極を備えた２枚の保護シートによって収容された上記の液晶系である。これらのシートは硬質の、好ましくは本質的に透明な基材（ガラス若しくは十分な厚さのポリカーボネート（ＰＣ））又は半硬質若しくは軟質の基材（薄いＰＣなどの薄いポリマー）に基づくよう選択できる。２枚のシートは異なるタイプ（例えば、ガラス基材とポリマー基材）であってもよい。
【手続補正３】
【補正対象書類名】明細書
【補正対象項目名】００１９
【補正方法】変更
【補正の内容】
【００１９】
系（ａ）が液晶系である場合、別のタイプの吸収性部材（ｂ）は機能フィルムの内部に染料を用いることにある。最も好ましくは、これは液晶の液滴中及び／又は液晶の液滴が分散している媒体中に溶解している二色性染料のうちの１つであることができる。